(57)【要約】【課題】保持部材を肉薄化して基板上に多数配列することができ、プリフォーム成形品を効率的に取出すことができるプリフォーム成形品用チャックを提供する。保持部材内にプリフォーム成形品の胴部を挿入して保持させる際や保持されたプリフォーム成形品を排出させる際の摺動抵抗を少なくして保持不良や排出不良を少なくして取出し作業を確実に行うことができるプリフォーム成形品用チャックを提供する。【解決手段】吸気手段に接続された多数の保持部材は、少なくとも内面に熱伝導率が低く、摺接抵抗が小さい合成樹脂層を設け、プリフォーム成形品の一部を挿入して支持する中空部を有した保持部と、チャック板に対して着脱可能で保持部の中空部と連通する孔を有し、吸気手段に接続される取付け部と、保持部の中空部内に設けられて挿入されるプリフォーム成形品を弾性支持する弾性部材とから構成する。【選択図】　　　　図１
2004122688.tif 000002
【特許請求の範囲】
【請求項１】
チャック板に吸気手段に接続された多数の保持部材を設けたチャックにおいて、各保持部材は、少なくとも内面に熱伝導率が低く、摺接抵抗が小さい合成樹脂層を設け、プリフォーム成形品の一部を挿入して支持する中空部を有した保持部と、チャック板に対して着脱可能で保持部の中空部と連通する孔を有し、吸気手段に接続される取付け部と、保持部の中空部内に設けられて挿入されるプリフォーム成形品を弾性支持する弾性部材を設けたプリフォーム成形品用チャック。
【請求項２】
請求項１の保持部材は、ポリアミド樹脂により成形したプリフォーム成形品用チャック。
【請求項３】
請求項１の保持部材は、アルミニウム材により形成すると共に保持部の内面に所定厚さのポリアミド樹脂又はフッ化樹脂を被覆形成したプリフォーム成形品用チャック。
【請求項４】
請求項１の保持部材は、アルミニウム材からなる保持部材の保持部内に所定厚さのポリアミド樹脂又はフッ化樹脂からなる樹脂部材を設けたプリフォーム成形品用チャック。
【発明の詳細な説明】
【０００１】
【発明が属する技術分野】
本発明は、例えば飲料水等を封入する薄肉プラスチック製ボトルをブロー成形する前工程において射出成形された薄肉プラスチック製ボトルのプリフォーム成形品を金型内から取出す成形品取出機に設けられるプリフォーム成形品用チャックに関する。
【０００２】
【従来技術】
上記したプリフォーム成形品用チャックとして、例えば特許文献１に示すものが知られている。このチャック（取出ヘッド）は、吸気手段に接続されてプリフォーム成形品の底部を着脱自在に吸着可能な複数のチャックを、基板の前側に突出して取付け、これらチャックの下側近傍に、発泡樹脂のような熱伝導率の小さい保温材によって形成されてプリフォーム成形品の胴部を支持する樋状の支持部を備えた支持部材を取付けた構造からなる。
【０００３】
【特許文献１】
特開平９−１８７８６０号公報（図１）
【０００４】
【発明が解決しようとする課題】
しかし、上記したチャック（取出ヘッド）にあっては、支持部材を熱伝導率の小さい保温材として発泡樹脂により形成しているため、経時使用に耐えるにはある程度の肉厚で形成しなければならなかった。
【０００５】
プリフォーム成形品を成形する際には、成形効率の点から一回の成形作業で多数のプリフォーム成形品を成形して取出す必要があり、基板上に多数の支持部材を配列する必要があった。しかし、支持部材を肉厚とした場合には、基板上に取付けられる支持部材の個数が制限されるため、一度に多数のプリフォーム成形品を取出せず、取出し作業を含めた成形作業効率が悪かった。
【０００６】
そして肉厚の支持部材が多数設けられたチャックにあっては、チャック自体が大型化するため、狭少空間である金型間に進入させるのが困難になり、成形品取出し効率を悪くする原因にもなっていた。
【０００７】
また、上記チャック（取出ヘッド）は、支持部材の中空部内にプリフォーム成形品の一部を挿入して吸着保持する構造であるが、支持部材自体、上記した発泡樹脂により形成されているため、支持部材の中空部に対するプリフォーム成形品の胴部の摺動抵抗が大きく、プリフォーム成形品の挿入及び排出をスムーズに行えなかった。
【０００８】
特に、上記した支持部材自体、熱伝導率が小さいため、取出し時に挿入保持されたプリフォーム成形品の熱収縮度も小さく、支持部材の中空部からプリフォーム成形品を自重で排出させることが困難であった。
【０００９】
本発明は、上記した従来の欠点を解決するために発明されたもので、その課題とする処は、保持部材を肉薄化して基板上に多数配列することができ、プリフォーム成形品を効率的に取出すことができるプリフォーム成形品用チャックを提供することにある。
【００１０】
本発明の他の課題は、保持部材内にプリフォーム成形品の胴部を挿入して保持させる際や保持されたプリフォーム成形品を排出させる際の摺動抵抗を少なくして保持不良や排出不良を少なくして取出し作業を確実に行うことができるプリフォーム成形品用チャックを提供することにある。
【００１１】
【課題を解決するための手段】
本発明は、チャック板に吸気手段に接続された多数の保持部材を設けたチャックにおいて、各保持部材は、少なくとも内面に熱伝導率が低く、摺接抵抗が小さい合成樹脂層を設け、プリフォーム成形品の一部を挿入して支持する中空部を有した保持部と、チャック板に対して着脱可能で保持部の中空部と連通する孔を有し、吸気手段に接続される取付け部と、保持部の中空部内に設けられて挿入されるプリフォーム成形品を弾性支持する弾性部材を設けたことを特徴とする。
【００１２】
【発明の実施形態】
以下に実施形態を示す図に従って本発明を説明する。
実施形態１
【００１３】
図１〜図３において、プリフォーム成形品用チャック１は樹脂成形機の固定側プラテンの上面に固定される成形品取出機（何れも図示せず）の昇降フレーム３の下部に、必要に応じて反転姿勢制御部材５または水平姿勢制御部材（図示せず）を介して取付けられる。該昇降フレーム３は、例えば成形品取出機の本体フレームに支持された左右走行体及び該左右走行体に設けられた前後フレーム上を移動する前後走行体（何れも図示せず）に昇降するように支持され、プリフォーム成形品用チャック１を三次元方向へ移動させることにより樹脂成形機の金型内からプリフォーム成形品Ｗを、樹脂成形機の操作側または反操作側に設定される解放位置に取出す。
【００１４】
尚、上記説明において左右方向とは、樹脂成形機の長手方向と直交する方向、前後方向とは同じく長手方向を示す。
【００１５】
プリフォーム成形品用チャック１のチャック板７には多数の保持部材９がねじ１１により着脱可能に取付けられる。各保持部材９としてはポリアミド樹脂に形成され、プリフォーム成形品Ｗの胴部Ｗａが挿入される中空部９ａを有した円筒形状の保持部９ｂと、該保持部９ｂの底部にてチャック板７に形成された孔７ａを挿通して負圧発生源１２に接続される取付け部９ｃとから構成される。そして保持部９ｂ内の底面には取付け部９ｃの吸引孔９ｄとほぼ一致する大きさの孔１３ａを有したスポンジ等の弾性部材１３が設けられる。
【００１６】
プリフォーム成形品Ｗとしては、肉薄透明なプラスチック製ボトルをブロー成形する前工程として射出成形されたものを図示するが、本発明で取出されるプリフォーム成形品Ｗとしては、これに限定されるものではなく、例えばプラスチック製試験管、プラスチック製浮玉等のように内部に中空部を有してブロー成形される全てのものを対象とする。
【００１７】
次に、上記したチャック１によるプリフォーム成形品Ｗの取出し作用を説明する。
成形品取出機に対して樹脂成形機から型開完了信号が入力されると、成形品取出機はプリフォーム成形品用チャック１を金型間に進入してプリフォーム成形品用チャック１の各保持部材９を可動金型内に保持された各プリフォーム成形品Ｗに相対させる。このとき、保持部材９の中空部９ａ内は負圧に形成されて吸引可能な状態になっている。
【００１８】
そして上記状態にて可動金型内の突出し機構を作動して保持した各プリフォーム成形品Ｗを対応するそれぞれの保持部材９に向って突き出すと、図４に示すように各プリフォーム成形品Ｗの胴部Ｗａは対応する保持部材９の中空部９ａ内に挿入される。このとき、保持部材９自体が滑動性の高いポリアミド樹脂で形成されているため、保持部９ｂ内に対する胴部Ｗａの摺動抵抗が少なく、円滑に挿入させることができる。
【００１９】
そして中空部９ａ内に挿入されたプリフォーム成形品Ｗの胴部Ｗａは中空部９ａ内が負圧になっているため、胴部Ｗａの先端部が中空部９ａ内の底面に押し当るまで挿入されて吸引保持される。このとき、胴部Ｗａの端部は中空部９ａの底部に対して弾性部材１３を介して押し当るため、該弾性部材１３の弾性変形により胴部Ｗａの傷付きを防止することができる。
【００２０】
また、保持部材９自体、上記したポリアミド樹脂の特性から熱伝導率が低い、従って断熱性が高いため、プリフォーム成形品Ｗ、特に挿入される胴部Ｗａが急速に冷却硬化するのを回避し、内部に熱応力が発生するのを抑えることができる。
【００２１】
上記作用により各保持部材９にプリフォーム成形品Ｗを保持したプリフォーム成形品用チャック１を移動制御して金型間から離脱させた後、樹脂成形機の操作側または反操作側に設定された成形品解放位置へ移動した後、例えば反転姿勢制御部材５を駆動してプリフォーム成形品用チャック１の成形品保持面を下方に向けた状態で負圧形成を中断したり、負圧形成状態を保ちながら中空部９ａ内に圧力調整された圧縮空気を供給して真空状態を破壊することにより各保持部材９の中空部９ａに保持されたプリフォーム成形品Ｗの胴部Ｗａを排出させる。
【００２２】
このとき、上記と同様に保持部材９自体が、滑動性が高いポリアミド樹脂により形成されているため、保持部９ｂ内面に対する胴部Ｗａの摺動抵抗が少なく、排出作業を円滑に行うことができる。
【００２３】
尚、成形品解放位置には搬出コンベヤーや搬出シュータ等の搬出装置が設けられ、該搬出装置の搬送面に対して常温または冷風で、帯電したイオン風を吹き付けるイオン風発生装置により搬出されるプリフォーム成形品Ｗを冷却硬化させる。
【００２４】
本実施形態は、熱伝導率が低いポリアミド樹脂により形成された保持部材９によりプリフォーム成形品Ｗを保持して取出すため、保持部材９の保持部９ｂ自体を肉薄化してプリフォーム成形品用チャック１自体の軽量化及び小型化を図りながらチャック板７に多数の保持部材９を設けることができ、プリフォーム成形品Ｗを効率的に取出すことができる。
【００２５】
また、各保持部材９自体が滑動性の高いポリアミド樹脂により形成されるため、保持部９ｂ内面に対する胴部Ｗａの摺動抵抗を小さくして中空部９ａ内に対する胴部Ｗａの挿入や中空部９ａ内からの排出を円滑に行うことができる。
【００２６】
更に、保持部材９自体、熱伝導率が低いため、保持したプリフォーム成形品Ｗを金型から成形品解放位置へ移動する際にプリフォーム成形品Ｗの温度が急激に低下して硬化するのを防止することによりプリフォーム成形品Ｗ内に熱応力が発生するのを抑えることができる。
【００２７】
実施形態２
本実施形態は、プリフォーム成形品用チャック１のチャック板７に取付けられる保持部材３１を、以下のように構成したものである。
【００２８】
即ち、図５に示すように各保持部材３１はアルミニウム材（アルミニウム合金を含む）により形成され、中部に中空部３１ａを有した保持部３１ｂと、チャック板７に固定され、負圧発生源１２に接続される取付け部３１ｃとから構成され、該取付け部３１ｃは孔３１ｄにより中空部３１ａと連通している。
【００２９】
そして保持部３１ｂの内面には活動性及び断熱性を有したフッ化樹脂等の樹脂層３３が所定の厚さで被覆形成されている。樹脂層３３としては、断熱性を確保できる厚さに設定すればよい。
【００３０】
また、保持部３１ｂの取付け部３１ｃ側には実施形態１と同様に、スポンジやゴム等の弾性部材３５が取付けられている。該弾性部材３５には孔３１ｄと連通する孔３５ａが形成されている。
【００３１】
本実施形態の保持部材３１によるプリフォーム成形品Ｗの保持作用は、実施形態１と同様であるが、保持部３１ｂの内面に樹脂層３３が被覆形成されているため、保持部３１ｂ内面に対する胴部Ｗａの摺動抵抗を低減し、挿入及び排出を円滑に行わせることができる。
【００３２】
また、保持部材３１自体、アルミニウム材から形成されるため、肉厚を薄手状にしても、充分な強度が得られ、プリフォーム成形品用チャック１の軽量化及び小型化を図りながら、チャック板７に多数の保持部材３１を配置してプリフォーム成形品Ｗの取出し作業を効率化することができる。
【００３３】
更に、保持部３１ｂの内面に被覆される樹脂層３３自体、熱伝導率が低いため、保持したプリフォーム成形品Ｗが急激に温度低下するのを回避して熱応力が発生するのを抑制することができる。
【００３４】
上記説明は、プリフォーム成形品用チャック１を左右方向、前後方向及び上下方向の三次元方向へ移動制御してプリフォーム成形品を取出す構造としたが、プリフォーム成形品用チャック１を旋回移動させたり、左右方向及び前後方向へ移動して横取出しする構造であってもよいことは勿論である。
【００３５】
実施形態２の説明においては、アルミニウム製の保持部材３１の内面に樹脂層３３を所定の厚さで被覆形成したが、予めポリアミド樹脂やフッ化樹脂により成形された樹脂円筒部材を保持部内に挿嵌して一体化した構造であってもよい。
【００３６】
【発明の効果】
本発明は、保持部材を肉薄化して基板上に多数配列することができ、プリフォーム成形品を効率的に取出すことができる。また、保持部材内にプリフォーム成形品の胴部を挿入して保持させる際や保持されたプリフォーム成形品を排出させる際の摺動抵抗を少なくして保持不良や排出不良を少なくして取出し作業を確実に行うことができる。
【図面の簡単な説明】
【図１】プリフォーム成形品用チャックの全体斜視図である。
【図２】チャック板に対する保持部材の取り付け状態を示す説明図である。
【図３】チャック板に取り付けられた保持部材の中央縦断面図である。
【図４】プリフォーム成形品の保持作用を示す説明図である。
【図５】実施形態に係るプリフォーム成形品用チャックの保持部材を示す縦断面図である。
【符号の説明】
１−プリフォーム成形品用チャック、７−チャック板、９−保持部材、９ａ−中空部、９ｂ−保持部、９ｃ−取付け部、１２−吸引手段としての負圧発生源、Ｗ−プリフォーム成形品
【図１】
2004122688.tif 000003
【図２】
2004122688.tif 000004
【図３】
2004122688.tif 000005
【図４】
2004122688.tif 000006
【図５】
2004122688.tif 000007